(57)【要約】      （修正有）【課題】吸水性・吸湿性に優れ、保湿性や通気性、デザイン性も高く、軽量で首に巻いた時に肌に優しく、ごわごわやチクチクを感じさせることなく、洗濯もできるタオルマフラーを提供する。【解決手段】地経糸と地緯糸及びパイル糸からなるタオル織物で製作され、身体の首にかけられて前面に垂下されて一対の垂れ布部を形成し、同垂れ布部が係止部材のリング体３の中に嵌挿されて使用されるタオルマフラー１であって、前記タオルマフラーの表面及び裏面の両面あるいは表面又は裏面のいずれか片面に、１本の糸条、又は平行に近接配置された２〜１０本の糸条からなる突条ユニット２が、幅方向に形設されてなる。【選択図】図２
0003107606.tif 000002
【実用新案登録請求の範囲】
【請求項１】
地経糸と地緯糸及びパイル糸からなるタオル織物で製作され、身体の首にかけられて前面に垂下されて一対の垂れ布部を形成し、同垂れ布部が係止部材のリング体の中に嵌挿されて使用されるタオルマフラーであって、
前記タオルマフラーの表面及び裏面の両面あるいは表面又は裏面のいずれか片面に、１本の糸条、又は平行に近接配置された２〜１０本の糸条からなる突条ユニットが、幅方向に形設されてなることを特徴とするタオルマフラー。
【請求項２】
前記突条ユニットが、タオルマフラーの長手方向に間隔をおいて複数形設されてなることを特徴とする請求項１に記載のタオルマフラー。
【請求項３】
前記突条ユニットが、パイル糸で形成された輪奈からなる糸条で形成されてなることを特徴とする請求項１又は２のいずれかに記載のタオルマフラー。
【請求項４】
前記突条ユニットが、前記タオルマフラーの装着時に、タオルマフラーの垂れ布部が嵌挿された係止部材のリング体を上下に動作させる際、前記リング体の係止部となることを特徴とする請求項１〜３のいずれか１項に記載のタオルマフラー。
【請求項５】
前記タオルマフラーが、パイル糸が輪奈を形成しないで織成されたものであることを特徴とする請求項１〜４のいずれか１項に記載のタオルマフラー。
【考案の詳細な説明】
【技術分野】
【０００１】
本考案は、タオル織物からなるタオルマフラーに関するものであり、特に前記タオルマフラーが、身体の首にかけられて前面に垂下されて一対の垂れ布部を形成し、同垂れ布部が係止部材のリング体の中に嵌挿されて使用されるタオルマフラーに関する。
【背景技術】
【０００２】
従来、ジョギングやウォーキング、ハイキングなどの運動時や、日差しの当たる場所での作業時に、首の回りに吸水性の高いタオルを巻き付けることがよく行われる。これは、運動時や作業時にかいた汗を吸収させるためであり、運動時や作業時などに、汗を拭うものを手で保持する必要がなく、両手を自由に使えて非常に便利である。
【０００３】
ところが、運動時や作業時などは、活発な動きをするために、首に巻いたタオルが落ちてしまうという問題があった。また、落ちないように結ぼうとしても長さが十分でないため結びにくく、仮に結べても結び目が大きくなってしまい、ほどけやすく、あまり効果がなかった。
そのため、上記問題を解決する手段として、例えば、特開２００４−４９８５７号公報では、タオル本体の両端部付近に、長手方向に切り込んでボタンホールの穴かがり縫いをした複数の貫通口を設けた「襟巻きタオル」が開示されている。
前記「襟巻きタオル」は、タオルの片側をその端部に設けた複数の貫通口が互いに重なって連通するように折りたたみ、他の端部を丸め又は重ねてその先端を、先に連通させた貫通口に挿通させることによって、首に確実に巻き付けられるようになっている。
【特許文献１】特開２００４−４９８５７号公報
【０００４】
一方、首に巻く防寒具として、毛やカシミアなどを素材とするマフラーがある。風が冷たく、気温の低い時期には、風を遮り、体温の低下を防ぐ好適なものである。
【考案の開示】
【考案が解決しようとする課題】
【０００５】
運動時や作業時に首に巻くタオルは、その表面又は表裏両面にパイル糸による輪奈（パイル）が形成されて、吸水性を高めており、そのためタオル自体が厚く、首に巻き付けて使用する場合、首周りがごわごわして鬱陶しいという問題があった。また、首に巻き付けておくと、上品さが失われるため、女性や若者は首にタオルを巻くことを敬遠する傾向にあった。
前記、「襟巻きタオル」も、タオルの端部に設けられた貫通口にタオルの他端を挿通させることで、運動時や作業時に首から脱落することを防止することはできるが、首周りのごわつきや、上品さの欠如を解決することはできない。
【０００６】
また、防寒用品のマフラーは、極寒の時には最適であるが、１日のうちには、暖かくなる時間もあり、また、室内などにおいては、毛やカシミアのマフラーでは暑いため、襟元からはずし手で持ったり、カバンの中に入れたりなどするが、非常に嵩張るという問題があった。
そして、装着時に首がチクチクしたり、静電気が起きたりするという問題もあった。
さらに、毛やカシミアのマフラーは、通常、自宅での洗濯が困難なので、使用時において、汚れに対して非常に気を配らなければならないという問題もあった。
【課題を解決するための手段】
【０００７】
本考案は、上記課題を解決するものであり、下記構成のタオルマフラーである。
（１）地経糸と地緯糸及びパイル糸からなるタオル織物で製作され、身体の首にかけられて前面に垂下されて一対の垂れ布部を形成し、同垂れ布部が係止部材のリング体の中に嵌挿されて使用されるタオルマフラーであって、
前記タオルマフラーの表面及び裏面の両面あるいは表面又は裏面のいずれか片面に、１本の糸条、又は平行に近接配置された２〜１０本の糸条からなる突条ユニットが、幅方向に形設されてなることを特徴とするタオルマフラー。
（２）前記突条ユニットが、タオルマフラーの長手方向に間隔をおいて複数形設されてなることを特徴とする前記（１）に記載のタオルマフラー。
（３）前記突条ユニットが、パイル糸で形成された輪奈からなる糸条で形成されてなることを特徴とする前記（１）又は（２）のいずれかに記載のタオルマフラー。
（４）前記突条ユニットが、前記タオルマフラーの装着時に、タオルマフラーの垂れ布部が嵌挿された係止部材のリング体を上下に動作させる際、前記リング体の係止部となることを特徴とする前記（１）〜（３）のいずれか１項に記載のタオルマフラー。
（５）前記タオルマフラーが、パイル糸が輪奈を形成しないで織成されたものであることを特徴とする前記（１）〜（４）のいずれか１項に記載のタオルマフラー。
【考案の効果】
【０００８】
本考案のタオルマフラーによれば、前記タオルマフラーが、身体の首にかけられて前面に垂下され一対の垂れ布部を形成し、同垂れ布部が係止部材のリング体の中に嵌挿されて使用され、前記タオルマフラーの表裏両面あるいは表裏のいずれか片面に、１本の糸条、又は平行に近接配置された２〜１０本の糸条からなる突条ユニットが、幅方向に形設されて構成されるので、タオルマフラーの装着時に、前記リング体が、突条ユニットに係止され、首の回りにタオルマフラーで環状形が作られるので、タオルマフラーの落下や、ズレを生じることない。
また、本考案のタオルマフラーは、複数の前記突条ユニットが、タオルマフラーの長手方向に間隔をおいて形設されて構成されるので、リング体を上下に移動させて任意の位置の突条ユニットに係止することができるので、使用状況に合わせて、タオルマフラーをきっちり締めて装着したり、ゆったりと装着したり、選択することができる。
【０００９】
そして、本考案のタオルマフラーは、タオル織物なので、吸水性・吸湿性に優れ、また、織柄次第で、保湿性や通気性、デザイン性も向上させられ、さらには、軽量で嵩張らないので、汗をかく運動時や作業時をはじめ、外出時のおしゃれのアクセントや、冷房の効いた室内での冷えの防止等、様々な用途に使用することができる。
そして、綿糸をはじめとするタオル織物の構成材（糸）で織成されるので、首に巻いた時に肌に優しく、ごわごわやチクチクを感じさせることなく、さらには、洗濯もできるので、汚れを気にすることなく使用することができる。
【００１０】
そして、本考案のタオルマフラーは、突条ユニットを、パイル糸で形成された輪奈からなる糸条で形成するので、タオルマフラーを製作する際に織柄を変えるだけで、任意の場所に突条ユニットを形成することができる。
【考案を実施するための最良の形態】
【００１１】
本考案は、地経糸と地緯糸及びパイル糸からなるタオル織物で製作されたタオルマフラーに関するものであって、前記タオルマフラーは、身体の首にかけられて前面に垂下され一対の垂れ布部を形成し、同垂れ布部が係止部材のリング体の中に嵌挿されて使用されるものである。
そして、前記タオルマフラーの表裏両面あるいは表裏のいずれか片面に、１本の糸条、又は平行に近接配置された２〜１０本の糸条からなる突条ユニットが、幅方向に形設されて構成されるタオルマフラーである。
本考案におけるタオルマフラーは、タオル織機で織成されるタオル織物であり、首に巻かれて使用されるマフラー形状のものであり、長さと幅は、使用目的に合わせて適宜選択されるものである。
前記タオルマフラーは、綿糸を基本として織成され、吸水性・吸湿性・保湿性・通気性が高く、軽量なものである。なお、吸水性や保湿性等を確保できれば、綿糸以外で構成することもできる。
【００１２】
前記タオルマフラーは、平織りや袋織り、パイル織りなどにより製作され、本考案においては、前記平織りや袋織りで製作されるタオルマフラーの表面及び裏面の両面、あるいは表面又は裏面にいずれか片面に、幅方向に糸条からなる突条ユニットを形成して構成される。
なお、突条ユニットとは、１本の糸条、又は平行に近接配置された２〜１０本程度の糸条で形成されるものであり、例えば、パイル糸で輪奈を形成して突条部を設けたり、太い緯糸を織り込んだり、またはゴム等の弾性を有する紐状部材を織り込んだりなどして構成することができる。
タオルマフラーを構成するパイル糸で、突条ユニットを形成する位置に任意の嵩高の輪奈を形成する場合には、タオルマフラーの織柄を変更するだけで所望の突条ユニットを形設することができる。
前記突条ユニットは、前記タオルマフラーの装着時に、身体の首にかけられて前面に垂下され形成される一対の垂れ布部が、係止部材のリング体の中に嵌挿された際、前記リング体を、前記突条ユニットの糸条に係止できる程度の嵩高を有するように形設されるものであればよく、突条ユニットの構成は、前記構成に限定されるものではない。
【００１３】
このように、タオルマフラー本体と、突条ユニットが形設された部分の境界は、前記リング体が係止できる程度の段差が形成される。
そのため、タオルマフラー本体は嵩が小さく、突条ユニットを形成する糸条はリング体を係止できる程度の嵩を有して構成される。
本考案においては、タオルマフラー本体は、パイル糸で輪奈を形成せずに織成される平織りや袋織りで形成することが望ましい。タオルマフラー本体部を輪奈を形成しないパイル糸で織成することにより、軽量で柔軟な感触のタオルマフラーとすることができるからである。
なお、その他、突条ユニットが、リング体を係止できる程度のタオルマフラー本体との高さの違い（リング体を係止できる程度のタオルマフラー本体と突条ユニットの境界に段差）が形成できれば、タオルマフラー本体は、どのような織り方で形成することもでき、パイル糸で輪奈を形成しない織り方でなくとも、例えば、嵩高の低い輪奈を有して構成することもできる。
【００１４】
また、本考案においては、糸条は１本又は２〜１０本程度としているが、糸条で形成される突条ユニットが、リング体を係止できる程度の嵩高と強度を保持できればよく、突条ユニットの数は限定されるものではなく、１１本以上の糸条で形成してもよく、使用されるリング体の大きさ等を考慮して、適宜糸条の数や、その嵩高などを選択することが好ましい。
【００１５】
本考案のタオルマフラーは、その垂れ布部が嵌挿されるリング体を、突条ユニットに係止させることにより、同タオルマフラーで首の周りに環状形を形成させるものであり、突条ユニットの位置によって、リング体の係止位置を上下させることができ、首の周りに形成される環状形の大きさを任意に変更することができるように構成されている。
そのため、本考案のタオルマフラーは、首の周りに形成される環状形の大きさを、リング体の位置を上下させることにより変更できるよう、複数の突条ユニットを、長手方向に間隔をおいて形設される。
もちろん、その用途によっては、両方の垂れ布部に突条ユニットを１個ずつ形成して、リング体を係止する構成とすることもできるが、例えば、首にタオルマフラーが密着する程度の環状形が形成できる位置、リング体が、胸元で係止する程度の位置、リング体が腹部の上で係止する程度の位置、というように、複数の突条ユニットを垂れ布部に形設することにより、使用場所や用途、使用する環境等に合わせて、任意にリング体の係止位置を変更できるように構成することが好ましい。
【実施例１】
【００１６】
本考案のタオルマフラーの実施例を図に基づいて説明する。
図１は本考案のタオルマフラーの一実施例の全体斜視図、図２は本考案のタオルマフラーの使用説明図、図３は本考案のタオルマフラーの他の実施例の全体正面図及び一部断面組織図、図４は本考案のタオルマフラーの説明図、図５は本考案のタオルマフラーの使用例を示す図である。
図中、１はタオルマフラー、２、２ａ、２ｂ、２ｃ、２ｄは突条ユニット、３はリング体、４ａ、４ｂ、４ｃは突条ユニットの間隔、５は輪奈、１Ａ、１Ｂは垂れ布部、２０は糸条である。
【００１７】
本考案のタオルマフラー１は、図１の本考案のタオルマフラーの一実施例の全体斜視図及び図２の本考案のタオルマフラーの使用説明図に示すように、タオルマフラー１の表面及び裏面両面、あるいは表面又は裏面のいずれか片面に、１本の糸条（図示せず）、又は平行に近接配置された２〜１０本の糸条２０、２０・・・からなる突条ユニット２を、幅方向に形設して構成される。
本考案のタオルマフラー１は、地経糸と地緯糸及びパイル糸からなるタオル織物で製作されており、図１に示す実施例においては、パイル糸が輪奈を形成しないタオル織物で製作されたタオルマフラー１となっている。
前記タオルマフラー１は、図２に示すように、身体の首にかけられて前面に垂下され一対の垂れ布部１Ａ、１Ｂを形成し、同垂れ布部１Ａ、１Ｂが係止部材のリング体３の中に嵌挿されて使用される。
【００１８】
そして、図３の本考案のタオルマフラーの他の実施例の全体正面図及び一部詳細断面図に示すように、複数の突条ユニット２ａ、２ｂ、２ｃ、２ｄが、タオルマフラー１の長手方向に間隔４ａ、４ｂ、４ｃをおいて形設される。
図３においては、突条ユニット２ａ、２ｂ・・は、左右にそれぞれ４個ずつ形設されているが、タオルマフラー１の大きさや、デザイン及び、リング体３の大きさ、形状等から適宜最適な数を選択し形設することが好ましい。
また、突条ユニット２ａ、２ｂ、２ｃ、２ｄの間に形成される突条ユニットの間隔４ａ、４ｂ、４ｃは、タオルマフラー１の装着時に、係止部材のリング体３が移動する部分である。前記リング体３は、突条ユニットの間隔４ａ、４ｂ、４ｃを移動し、突条ユニット２ａ、２ｂ、２ｃ、２ｄの部分で係止する。
前記突条ユニットの間隔４ａ、４ｂ、４ｃは、それぞれ、等間隔でも、異なる間隔でもよく、タオルマフラー１を装着した時のデザインや、突条ユニット２ａ、２ｂ・・の数によってその間隔を変更することができる。
【００１９】
本考案のタオルマフラー１において突条ユニット２は、１本の糸条で構成、あるいは、２〜１０本の糸条２０、２０・・・が平行に近接配置されて（図１参照）構成され、前記糸条２０は、リング体３を係止できる嵩高を有して構成される。
図３に示す実施例においては、突条ユニット２ａ、２ｂ、２ｃ、２ｄは、パイル糸で形成された輪奈５（突条ユニットの断面組織図参照）で構成される糸条２０（図１参照）で構成されている。また、図示しないが、太い緯糸を複数本密接させて糸条とすることもできる。その他、突条ユニット３の形成は、タオルマフラー１の垂れ布部１Ａ、１Ｂを係止部材のリング体３の中に嵌挿した際に、リング体３が、突条ユニット２とタオルマフラー本体との段差で係止できる構成であればよい。
【００２０】
図４は本考案のタオルマフラーの説明図であり、リング体３の位置を上にあげる場合を示している。
（ａ）タオルマフラー１の垂れ布部１Ａと１Ｂを、リング体３に嵌挿し、リング体３を、突条ユニット２ａで係止させる。首の周りにタオルマフラー１が形成する環状形がもっとも大きい状態となる。
（ｂ）リング体３を、突条ユニットの間隔４ａの上方に移動させ、一度突条ユニット２ｂ上を通過させた後に、同突条ユニット２ｂに係止させる。（ａ）の状態より、タオルマフラーの環状形が小さくなる。
（ｃ）リング体３を、突条ユニットの間隔４ｂの上方に移動させ、一度突条ユニット２ｃ上を通過させた後に、同突条ユニット２ｃに係止させる。（ｂ）の状態より、さらに環状形が小さくなる。
（ｄ）リング体３を、突条ユニットの間隔４ｃの上方に移動させ、一度突条ユニット２ｄ上を通過させた後に、同突条ユニット２ｄに係止させる。タオルマフラーが形成する環状形はもっとも小さい状態となる。
【００２１】
リング体３の位置を下に下げる場合は、図示しないが、上にあげる場合と逆に、リング体３を突条ユニットの間隔４ａ、４ｂ、・・・それぞれの下方に移動させ、係止させたい突条ユニット２ａ、２ｂ、・・・の位置で係止させる。
以上のように、本考案のタオルマフラー１は、リング体３の係止位置を任意に上下させることができるので、使用状況や、服装、デザイン等にあわせて、好みの形状で使用することができる。
【００２２】
図５は本考案のタオルマフラーの使用例を示す図である。（Ａ）は、リング体３を上の方（首に近い位置）の突条ユニット２ｃに係止させて、タオルマフラー１を首の周りにしっかり装着しており、（Ｂ）は、リング体３を一方の垂れ布部は上の方（首から近い位置）の突条ユニット２ｃ、他方の垂れ布部は下の方（首から遠い位置）の突条ユニット２ａに係止させて、垂れ布部の長さを違えて装着している。なお、本考案のタオルマフラー１は、リング体３にタオルマフラーの垂れ布部（図２参照）を嵌挿して使用されるものであるが、リング体３を使用せず、（Ｃ）のように通常のマフラーのごとく首に巻き付けて使用することができることはいうまでもない。
【００２３】
なお、本考案において、タオルマフラー１の垂れ布部１Ａ、１Ｂが嵌挿されるリング体３は、タオルマフラー１を装着した際に、タオルマフラー１が脱落したり、結ぶ必要がないようにタオルマフラー１の垂れ布部１Ａ、１Ｂをつなぎ、首の周りに同タオルマフラー１で環状形をつくるためのものであり、タオルマフラー１の材質や大きさ、色や模様などのデザイン等に合わせて、リング体３も材質や大きさ、形状、色彩、模様等が選択されるものである。
本実施例においては、リング体３は、環状形のものを採用しているが、四角形状や三角形状、結合部を備えた可橈性材質からなる棒状体など、突条ユニット２で係止されるものであれば、その形状は問わない。
【図面の簡単な説明】
【００２４】
【図１】本考案のタオルマフラーの一実施例の全体斜視図
【図２】本考案のタオルマフラーの使用説明図
【図３】本考案のタオルマフラーの他の実施例の全体正面図及び一部断面組織図
【図４】本考案のタオルマフラーの説明図
【図５】本考案のタオルマフラーの使用例を示す図
【符号の説明】
【００２５】
１  タオルマフラー
２、２ａ、２ｂ、２ｃ、２ｄ  突条ユニット
３  リング体
４ａ、４ｂ、４ｃ  突条ユニットの間隔
５  輪奈
１Ａ、１Ｂ  垂れ布部
２０  糸条
【図１】
0003107606.tif 000003
【図２】
0003107606.tif 000004
【図３】
0003107606.tif 000005
【図４】
0003107606.tif 000006
【図５】
0003107606.tif 000007